(57)【要約】【課題】  液晶表示パネルの反りの発生を大幅に抑制させた液晶表示装置を得る。【解決手段】  フレームを用いて液晶表示パネルがモジュール化された液晶表示装置であって、  該液晶表示パネルは、その有効表示領域を除く部分にて該有効表示領域の各辺とほぼ平行に延在される弾性スペーサを介在させて前記フレームと当接される液晶表示装置であって、  有効表示領域の少なくとも一辺にほぼ平行に延在される弾性スペーサは、その長手方向に沿ってその硬度が変化している。【選択図】    図１
2005091668.tif 000002
【特許請求の範囲】
【請求項１】
フレームを用いて液晶表示パネルがモジュール化された液晶表示装置であって、
該液晶表示パネルは、その有効表示領域を除く部分にて該有効表示領域の各辺とほぼ平行に延在される弾性スペーサを介在させて前記フレームと当接される液晶表示装置であって、
有効表示領域の少なくとも一辺にほぼ平行に延在される弾性スペーサは、その長手方向に沿ってその硬度が変化していることを特徴とする液晶表示装置。
【請求項２】
第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１のスペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１および第２の弾性スペーサのうち少なくとも一方の弾性スペーサであって、有効表示領域の少なくとも一辺にほぼ平行に延在される弾性スペーサは、その長手方向に沿ってその硬度が変化していることを特徴とする液晶表示装置。
【請求項３】
第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１の弾性スペーサであって、有効表示領域の少なくとも一辺にほぼ平行に延在される弾性スペーサは、その長手方向に沿ってその硬度が変化しているとともに、前記第２の弾性スペーサであって、硬度が変化している前記第１の弾性スペーサに対応する部分の弾性スペーサはその長手方向に沿ってその硬度が変化しており、
かつ、第１の弾性スペーサの硬度が高い部分に対応する第２の弾性スペーサの部分は硬度が低くなっているとともに、第１の弾性スペーサの硬度が低い部分に対応する第２の弾性スペーサの部分は硬度が高くなっていることを特徴とする液晶表示装置。
【請求項４】
硬度が変化している弾性スペーサは、その長手方向に３区分され、その中央と両脇とで硬度が異なっていることを特徴とする請求項１ないし３のいずれかに記載の液晶表示装置。
【請求項５】
中央から両脇にかけて、あるいは両脇から中央にかけての硬度の変化は滑らかになっていることを特徴とする請求項４に記載の液晶表示装置。
【請求項６】
硬度が変化している弾性スペーサは、有効表示領域の各辺に平行に延在するそれぞれの弾性スペーサのうち、互いに対向する一対の弾性スペーサであることを特徴とする請求項１から５のいずれかに記載の液晶表示装置。
【請求項７】
硬度が変化している弾性スペーサは、有効表示領域の各辺に平行に延在する各弾性スペーサであることを特徴とする請求項１から５のいずれかに記載の液晶表示装置。
【請求項８】
有効表示領域の角部で直交して配置される各弾性スペーサはそれぞれ該角部で硬度がほぼ等しくなっていることを特徴とする請求項６、７のいずれかに記載の液晶表示装置。
【請求項９】
フレームを用いて液晶表示パネルがモジュール化された液晶表示装置であって、
該液晶表示パネルは、その有効表示領域を除く部分にて該有効表示領域の各辺とほぼ平行に延在される弾性スペーサを介在させて前記フレームと当接される液晶表示装置であって、
有効表示領域の少なくとも一辺にほぼ平行に延在される弾性スペーサは、その長手方向に沿ってその太さが変化していることを特徴とする液晶表示装置。
【請求項１０】
第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１および第２の弾性スペーサのうち少なくとも一方の弾性スペーサであって、有効表示領域の少なくとも一辺にほぼ平行に延在される弾性スペーサは、その長手方向に沿ってその太さが変化していることを特徴とする液晶表示装置。
【請求項１１】
第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１の弾性スペーサであって、有効表示領域の少なくとも一辺にほぼ平行に延在される弾性スペーサは、その長手方向に沿ってその太さが変化しているとともに、前記第２の弾性スペーサであって、太さが変化している前記第１の弾性スペーサに対応する部分の弾性スペーサはその長手方向に沿ってその太さが変化しており、
かつ、第１の弾性スペーサの太い部分に対応する第２の弾性スペーサの部分は細く形成されているとともに、第１の弾性スペーサの細い部分に対応する第２の弾性スペーサの部分は太く形成されていることを特徴とする液晶表示装置。
【請求項１２】
太さが変化している弾性スペーサは、その長手方向に３区分され、その中央と両脇とで太さが異なっていることを特徴とする請求項９ないし１１のいずれかに記載の液晶表示装置。
【請求項１３】
中央から両脇にかけて、あるいは両脇から中央にかけての太さの変化は滑らかになっていることを特徴とする請求項１２に記載の液晶表示装置。
【請求項１４】
太さが変化している弾性スペーサは、有効表示領域の各辺に平行に延在するそれぞれの弾性スペーサのうち、互いに対向する一対の弾性スペーサであることを特徴とする請求項９から１３のいずれかに記載の液晶表示装置。
【請求項１５】
太さが変化している弾性スペーサは、有効表示領域の各辺に平行に延在する各弾性スペーサであることを特徴とする請求項９から１３のいずれかに記載の液晶表示装置。
【請求項１６】
有効表示領域の角部で直交して配置される各弾性スペーサはそれぞれ該角部で太さがほぼ等しくなっていることを特徴とする請求項１４、１５のいずれかに記載の液晶表示装置。
【発明の詳細な説明】
【技術分野】
【０００１】
本発明は液晶表示装置に係り、特に液晶表示パネル等を組み込んでモジュール化された液晶表示装置に関する。
【背景技術】
【０００２】
液晶表示装置はその画像を表示するための液晶表示パネルを備え、この液晶表示パネルは液晶を介して互いに対向配置されるたとえばガラス等の外囲器を備え、該液晶の広がり方向に多数の画素を備えて構成される。
【０００３】
そして、液晶表示パネルの各画素には一対の電極を備え、これら各電極の間に発生する電界によって当該画素の液晶の光透過率を制御するようになっている。
【０００４】
このため、液晶表示パネルの画像を認識するためには光源を必要とし、通常は該液晶表示パネルの背面にバックライトを備えている。バックライトからの光りを液晶表示装置の各画素に通して観察者に至らせるためである。
【０００５】
さらに、これら液晶表示パネルとバックライトおよびその他の部材は、数個のフレームを用いてモジュール化することにより、液晶表示パネルに対するバックライトあるいはその他の部材の位置規制を図るように構成されている。（特許文献１参照）。
【０００６】
なお、これにより、前記液晶表示パネルはその一部において、フレームと干渉する個所を有することは免れず、その部分にたとえばゴム等の弾性剤からなるスペーサ（弾性スペーサ）を介在させ、該液晶表示パネルへの機械的障害の抑制を図るようになっている。
【０００７】
【特許文献１】特開平９−２２０００号公報
【発明の開示】
【発明が解決しようとする課題】
【０００８】
しかしながら、このように構成された液晶表示パネルは、高温高湿試験を行なった場合、液晶表示パネルの反りが発生し、この反りが原因して画像表示のむらが生じることが判明した。
【０００９】
この原因を追求した結果、液晶表示パネルとフレームとの間に介在されている弾性フレームであることが判り、フレームからの力が液晶表示パネルに伝達される際に、その力が均一でないことから該液晶表示パネルに反りが発生することが判明した。
【００１０】
本発明は、このような事情に基づいてなされたものであり、液晶表示パネルの反りの発生を大幅に抑制させた液晶表示装置を提供することにある。
【課題を解決するための手段】
【００１１】
本願において開示される発明のうち、代表的なものの概要を簡単に説明すれば、以下のとおりである。
（１）
本発明は、たとえば、フレームを用いて液晶表示パネルがモジュール化された液晶表示装置であって、
該液晶表示パネルは、その有効表示領域を除く部分にて該有効表示領域の各辺とほぼ平行に延在される弾性スペーサを介在させて前記フレームと当接される液晶表示装置であって、
有効表示領域の少なくとも一辺にほぼ平行に延在される弾性スペーサは、その長手方向に沿ってその硬度が変化していることを特徴とするものである。
（２）
本発明は、たとえば、第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１および第２の弾性スペーサのうち少なくとも一方の弾性スペーサであって、有効表示領域の少なくとも一辺にほぼ平行に延在される弾性スペーサは、その長手方向に沿ってその硬度が変化していることを特徴とするものである。
（３）
本発明は、たとえば、第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１の弾性スペーサであって、有効表示領域の少なくとも一辺にほぼ平行に延在される弾性スペーサは、その長手方向に沿ってその硬度が変化しているとともに、前記第２の弾性スペーサであって、硬度が変化している前記第１の弾性スペーサに対応する部分の弾性スペーサはその長手方向に沿ってその硬度が変化しており、
かつ、第１の弾性スペーサの硬度が高い部分に対応する第２の弾性スペーサの部分は硬度が低くなっているとともに、第１の弾性スペーサの硬度が低い部分に対応する第２の弾性スペーサの部分は硬度が高くなっていることを特徴とするものである。
（４）
本発明による液晶表示装置は、たとえば（１）ないし（３）のいずれかの構成を前提とし、硬度が変化している弾性スペーサは、その長手方向に３区分され、その中央と両脇とで硬度が異なっていることを特徴とするものである。
（５）
本発明による液晶表示装置は、たとえば（４）の構成を前提とし、中央から両脇にかけて、あるいは両脇から中央にかけての硬度の変化は滑らかになっていることを特徴とするものである。
（６）
本発明による液晶表示装置は、たとえば（１）ないし（５）のいずれかの構成を前提とし、硬度が変化している弾性スペーサは、有効表示領域の各辺に平行に延在するそれぞれの弾性スペーサのうち、互いに対向する一対の弾性スペーサであることを特徴とするものである。
（７）
本発明による液晶表示装置は、たとえば（１）ないし（５）のいずれかの構成を前提とし、硬度が変化している弾性スペーサは、有効表示領域の各辺に平行に延在する各弾性スペーサであることを特徴とするものである。
（８）
本発明による液晶表示装置は、たとえば（６）、（７）のいずれかの構成を前提とし、有効表示領域の角部で直交して配置される各弾性スペーサはそれぞれ該角部で硬度がほぼ等しくなっていることを特徴とするものである。
（９）
本発明は、たとえば、フレームを用いて液晶表示パネルがモジュール化された液晶表示装置であって、
該液晶表示パネルは、その有効表示領域を除く部分にて該有効表示領域の各辺とほぼ平行に延在される弾性スペーサを介在させて前記フレームと当接される液晶表示装置であって、
有効表示領域の少なくとも一辺にほぼ平行に延在される弾性スペーサは、その長手方向に沿ってその太さ（幅）が変化していることを特徴とするものである。
（１０）
本発明は、たとえば、第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１および第２の弾性スペーサのうち少なくとも一方の弾性スペーサであって、有効表示領域の少なくとも一辺にほぼ平行に延在される弾性スペーサは、その長手方向に沿ってその太さ（幅）が変化していることを特徴とするものである。
（１１）
本発明は、たとえば、第１および第２のフレームを用いて液晶表示パネルがモジュール化された液晶表示装置であって、
該液晶表示パネルは、その一方の面にて、その有効表示領域を除く部分にて該有効表示領域の各辺とほぼ平行に延在される第１の弾性スペーサを介在させて前記第１のフレームと当接され、他方の面にて、その有効表示領域を除く部分にて該有効表示領域の各辺とほぼ平行に延在される第２の弾性スペーサを介在させて前記第２のフレームと当接され、
前記第１の弾性スペーサであって、有効表示領域の少なくとも一辺にほぼ平行に延在される弾性スペーサは、その長手方向に沿ってその太さ（幅）が変化しているとともに、前記第２の弾性スペーサであって、太さ（幅）が変化している前記第１の弾性スペーサに対応する部分の弾性スペーサはその長手方向に沿ってその太さ（幅）が変化しており、
かつ、第１の弾性スペーサの太い部分に対応する第２の弾性スペーサの部分は細く形成されているとともに、第１の弾性スペーサの細い部分に対応する第２の弾性スペーサの部分は太く形成されていることを特徴とするものである。
（１２）
本発明による液晶表示装置は、たとえば（９）ないし（１１）のいずれかの構成を前提とし、太さ（幅）が変化している弾性スペーサは、その長手方向に３区分され、その中央と両脇とで太さ（幅）が異なっていることを特徴とするものである。
（１３）
本発明による液晶表示装置は、たとえば（１２）の構成を前提とし、中央から両脇にかけて、あるいは両脇から中央にかけての太さ（幅）の変化は滑らかになっていることを特徴とするものである。
（１４）
本発明による液晶表示装置は、たとえば（９）ないし（１３）のいずれかの構成を前提とし、太さ（幅）が変化している弾性スペーサは、有効表示領域の各辺に平行に延在するそれぞれの弾性スペーサのうち、互いに対向する一対の弾性スペーサであることを特徴とするものである。
（１５）
本発明による液晶表示装置は、たとえば（９）ないし（１３）のいずれかの構成を前提とし、太さ（幅）が変化している弾性スペーサは、有効表示領域の各辺に平行に延在する各弾性スペーサであることを特徴とするものである。
（１６）
本発明による液晶表示装置は、たとえば（１４）、（１５）のいずれかの構成を前提とし、有効表示領域の角部で直交して配置される各弾性スペーサはそれぞれ該角部で太さ（幅）がほぼ等しくなっていることを特徴とするものである。
【００１２】
なお、本発明は以上の構成に限定されず、本発明の技術思想を逸脱しない範囲で種々の変更が可能である。
【発明の効果】
【００１３】
このように構成された液晶表示装置は、前記（１）の構成に示すように、弾性スペーサをその長手方向に沿って硬度を異なるようにすることによって、フレームから液晶表示パネルへの力の伝達の具合を制御でき、これによって、液晶表示パネルへの前記力の均一化を図ることができ、該液晶表示パネルの反りの発生を大幅に低減させることができる。
【００１４】
図３は、弾性スペーサとしてゴムを選択し、たとえばその硬度が２０の場合の圧力Ｆに対するゴム幅ｗと変形量δの関係を示した特性図である。硬度が異なれば、その特性は変化するが、図３に示す特性はほぼ直線状のままでシフトされる。すなわち、スペーサの硬度が低くなれば、それだけ変形し易くなり、その変形によってフレームから液晶表示パネルへの力による歪みをその部分で逃しやすくなる。
【００１５】
この場合、フレームから液晶表示パネルへ伝達される力は、液晶表示パネルの一辺部においてその中央部と両脇とで異なることに鑑み、前記（４）の構成に示すように、弾性スペーサをその長手方向に３区分させ、その中央と両脇とで硬度を変化させることにより多大なる効果を奏することが判明している。
【００１６】
また、弾性スペーサをその長手方向に沿って硬度を異ならしめる手段とし、その太さ（幅）を変えることが製作上極めて容易となる効果を奏する。
【発明を実施するための最良の形態】
【００１７】
以下、本発明による液晶表示装置の実施例について図面を用いて説明する。
【００１８】
まず、液晶表示装置は、液晶表示パネルと、この液晶表示パネルの背面に配置されるバックライトとを、該液晶表示パネルの前面に配置される上フレームと前記バックライトの後面に配置される下フレームと挟み込んで内蔵させ、これらをモジュール化するのが通常となっている。
【００１９】
そして、前記液晶表示パネルは、前記バックライトに対して定位置に配置されるように、該バックライトと一体に、あるいは該バックライトに対して位置決めされて形成されたたとえばモールドフレームに、そのｘ方向およびｙ方向に移動が規制されるように載置されている。
【００２０】
ここで、液晶表示パネルは、液晶を介して対向配置されるたとえばガラスの各基板を外囲器とし、該液晶の広がり方向に多数の画素が形成されているものであり、これにより、前記各フレームへの載置にあって、弾性を備えるもの、たとえばゴム等のスペーサを介在させている。
【００２１】
すなわち、図２（ａ）は、前記液晶表示パネルＰＮＬの平面を示す図で、前方に配置される基板ＳＵＢ１と後方に配置される基板ＳＵＢ２とが示されている。前方に配置される基板ＳＵＢ１が後方に配置される基板ＳＵＢ２よりも小さく形成されているのは、該基板ＳＵＢ１から露出される基板ＳＵＢ２の周辺部に半導体装置からなる液晶表示駆動回路（図示せず）を搭載させるためである。
【００２２】
このように構成される液晶表示パネルＰＮＬは基板ＳＵＢ１の僅かな周辺を除く中央部において多数の画素がマトリックス状に配置された有効表示領域ＡＲとなっている。
【００２３】
このため、上述したように、この液晶表示パネルＰＮＬの前面に配置される上フレームにあっては、該有効表示領域ＡＲに対向する部分に開口（表示窓）が形成され、観察者はこの表示窓を通して液晶表示パネルＰＮＬの有効表示領域ＡＲに映像される画面を認識できるようになっている。
【００２４】
図１（ｂ）は、該液晶表示パネルＰＮＬをモジュール化した際の部分的な断面図を示すもので、図１（ａ）のＡ−Ａ線における断面を示している。
【００２５】
符号ＭＦはたとえばモールドフレームＭＦを示すもので、前記バックライトの枠体と一体として形成されるもの、あるいは該バックライトと別体となっているが該バックライトに対して位置決めされて形成されるものである。
【００２６】
液晶表示パネルＰＮＬは、その周辺が前記モールドフレームＭＦの内側に突出した突起部ＰＲＪに載置されるように配置されるが、その間にたとえばゴムで構成されたスペーサＳＰ（Ｄ）が介在されている。ガラス等を外囲器として形成された液晶表示パネルＰＮＬに機械的障害の加わるのを緩和させるためである。
【００２７】
また、同様の理由から、液晶表示パネルＰＮＬの前面に配置される上フレームＵＦとの間にもたとえばゴムで構成されたスペーサＳＰ（Ｕ）が介在され、該液晶表示パネルＰＮＬへの該上フレームＵＦの直接の接触による機械的障害が加わるのを緩和させている。
【００２８】
なお、上フレームＵＦは、上述したように、液晶表示パネルＰＮＬの有効表示領域ＡＲに対向する部分に開口が設けられていることから、図中、モールドフレームＭＦ側から液晶表示パネルＰＮＬ側に若干延在されて描かれている。そして、上フレームＵＦはモールドフレームＭＦの外側の側面を被うようにして図中下側に延在されて描かれている。図示しない下フレームとたとえばかしめによって結合させるためである。
【００２９】
ここで、モールドフレームＭＦと液晶表示パネルＰＮＬとの間に介在されるスペーサＳＰ（Ｄ）、および上フレームＵＦと液晶表示パネルＰＮＬとの間に介在されるスペーサＳＰ（Ｕ）は、そのいずれも液晶表示パネルＰＮＬの有効表示領域ＡＲを囲むようにした矩形の環状のパターンをなしている。
【００３０】
液晶表示パネルＰＮＬの周辺の全域を支えるようにしてモールドフレームＭＦの前記突起部ＰＲＪが形成され、また、液晶表示パネルＰＮＬの周辺の全域を被うようにして上フレームＵＦが配置されているからである。
【００３１】
しかし、前記スペーサＳＰは必ずしもそれが一体となった環状体のみであることを意味せず、それらは適当な個所で比較的僅かな距離を有して分離されていることが通常である。製造の煩雑さを解消するためで、たとえば液晶表示パネルＰＮＬの矩形状の有効表示領域ＡＲの各辺にそれぞれ対向するように直線状の４個のスペーサが用いられるのが通常である。
【００３２】
そして、これら各スペーサＳＰは、基本的には、それを長手方向にたとえば３区分させ、その区分された中央の部分においてたとえばゴムの硬度を低下させるように形成し、両脇の部分においてゴムの硬度を向上させるように形成している。換言すれば、ゴムの硬度をその中央の部分において両脇よりも小さくなるように形成している。
【００３３】
あるいは、各スペーサをその長手方向に３区分された各部分において、その中央の部分においてゴムの硬度を向上させるように形成し、両脇の部分においてゴムの硬度を低下させるように形成している。換言すれば、ゴムの硬度をその中央の部分において両脇よりも大きくなるように形成している。
【００３４】
なお、各スペーサの硬度の変化は段差的なものである必要はなく、硬度の高い部分から硬度の低い部分にかけてその変化がなだらかであってもよい。
【実施例１】
【００３５】
図１は前記スペーサＳＰの一実施例を示す構成図で、図１（ａ）は液晶表示パネルＰＮＬと上フレームＵＦとの間に位置づけられるスペーサＳＰ（Ｕ）を、図１（ｂ）は液晶表示パネルＰＮＬとモールドフレームＭＦとの間に位置づけられるスペーサＳＰ（Ｄ）を示し、それらはいずれも液晶表示パネルＰＮＬとの位置関係で描いている。
【００３６】
液晶表示パネルＰＮＬと上フレームＵＦとの間に位置づけられるスペーサＳＰ（Ｕ）は、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００３７】
そして、それぞれのスペーサＳＰ（Ｕ）は、その長手方向に３区分された各部分において、その中央の部分（たとえば図中矢印に示す部分）は細く形成され、両側の部分は太く形成されている。これにより、液晶表示パネルＰＮＬの角およびそれに近い部分においてスペーサＳＰ（Ｕ）の硬度が大きく、これら部分を除く部分、すなわち液晶表示パネルＰＮＬの各辺の中央およびそれに近い部分においてスペーサＳＰ（Ｕ）の硬度が小さく機能するようになっている。
【００３８】
また、液晶表示パネルＰＮＬとモールドフレームＭＦとの間に位置づけられるスペーサＳＰ（Ｄ）は、同様に、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００３９】
そして、それぞれのスペーサＳＰ（Ｄ）は、その長手方向に３区分された各部分において、その中央の部分（たとえば図中矢印で示す部分）は太く形成され、両側の部分は細く形成されている。これにより、液晶表示パネルＰＮＬの角およびそれに近い部分においてスペーサの硬度が小さく、これら部分を除く部分、すなわち液晶表示パネルＰＮＬの各辺の中央およびそれに近い部分においてスペーサの硬度が大きく機能するようになっている。
【００４０】
なお、上述した実施例では、液晶表示パネルＰＮＬと上フレームＵＦとの間に位置づけられるスペーサＳＰ（Ｕ）、および、液晶表示パネルＰＮＬとモールドフレームＭＦとの間に位置づけられるスペーサＳＰ（Ｄ）のいずれにおいても上述した工夫を施したものであるが、そのうちの一方において、そのスペーサの太さを不変とさせ（したがって太くても細くてもよい）、他方のスペーサのみで本願発明の効果を奏するようにしてもよいことはもちろんである。
【実施例２】
【００４１】
図４は前記スペーサＳＰの他の実施例を示す構成図で、図４（ａ）は液晶表示パネルＰＮＬと上フレームＵＦとの間に位置づけられるスペーサＳＰ（Ｕ）を、図４（ｂ）は液晶表示パネルＰＮＬとモールドフレームＭＦとの間に位置づけられるスペーサＳＰ（Ｄ）を示し、それらはいずれも液晶表示パネルＰＮＬとの位置関係で描いている。
【００４２】
液晶表示パネルＰＮＬと上フレームＵＦとの間に位置づけられるスペーサＳＰ（Ｕ）は、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００４３】
そして、それぞれのスペーサＳＰは、その長手方向に３区分された各部分において、その中央の部分（たとえば図中矢印で示す部分）は太く形成され、両側の部分は細く形成されている。これにより、液晶表示パネルＰＮＬの角およびそれに近い部分においてスペーサの硬度が小さく、これら部分を除く部分、すなわち液晶表示パネルＰＮＬの各辺の中央およびそれに近い部分においてスペーサの硬度が大きく機能するようになっている。
【００４４】
また、液晶表示パネルＰＮＬとモールドフレームＭＦとの間に位置づけられるスペーサＳＰ（Ｄ）は、同様に、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００４５】
そして、それぞれのスペーサＳＰは、その長手方向に３区分された各部分において、その中央の部分（たとえば図中矢印に示した部分）は細く形成され、両側の部分は太く形成されている。これにより、液晶表示パネルＰＮＬの角およびそれに近い部分においてスペーサの硬度が大きく、これら部分を除く部分、すなわち液晶表示パネルＰＮＬの各辺の中央およびそれに近い部分においてスペーサの硬度が小さく機能するようになっている。
【００４６】
なお、上述した実施例では、液晶表示パネルＰＮＬと上フレームＵＦとの間に位置づけられるスペーサＳＰ（Ｕ）、および、液晶表示パネルＰＮＬとモールドフレームＭＦとの間に位置づけられるスペーサＳＰ（Ｄ）のいずれにおいても上述した工夫を施したものであるが、そのうちの一方において、そのスペーサの太さを不変とさせ（したがって太くても細くてもよい）、他方のスペーサのみで本願発明の効果を奏するようにしてもよいことはもちろんである。
【実施例３】
【００４７】
図５は前記スペーサＳＰの他の実施例を示す構成図で、たとえば液晶表示パネルＰＮＬと上フレームＵＦとの間に位置づけられるスペーサを示している。
【００４８】
液晶表示パネルＰＮＬと上フレームＵＦとの間に位置づけられるスペーサＳＰ（Ｕ）は、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００４９】
このうち、前記各辺のうち長辺に相当する部分に位置づけられる一対のスペーサＳＰは、それぞれ、その長手方向に３区分された各部分において、その中央の部分（たとえば図中矢印Ａで示す部分）は細く形成され、両側の部分は太く形成されている。また、前記各辺のうち短辺に相当する部分に位置づけられる一対のスペーサ（たとえば図中矢印Ｂで示す）は、そのいずれにあっても、長手方向に太さが不変であって、かつ太く形成されている。
【００５０】
なお、液晶表示パネルＰＮＬとモールドフレームＭＦとの間に位置づけられるスペーサＳＰ（Ｄ）は、図示していないが、図１および図４に示したと同様に、図５に示した液晶表示パネルＰＮＬと上フレームＵＦとの間に位置づけられるスペーサＳＰ（Ｕ）に対してその太細が逆となるような関係で構成されていてもよい。
【００５１】
また、このように構成しなくても、液晶表示パネルＰＮＬとモールドフレームＭＦとの間に位置づけられるスペーサＳＰ（Ｕ）はその太さを不変とさせ（したがって太くても細くてもよい）、液晶表示パネルＰＮＬと上フレームＵＦとの間に位置づけられるスペーサＳＰ（Ｕ）のみで本願発明の効果を奏するようにしてもよいことはもちろんである。さらに、このような関係は、液晶表示パネルＰＮＬと上フレームＵＦとの間に位置づけられるスペーサＳＰ（Ｕ）と液晶表示パネルＰＮＬとモールドフレームＭＦとの間に位置づけられるスペーサＳＰ（Ｄ）とで逆となっていてもよい。
【実施例４】
【００５２】
図６は前記スペーサＳＰの他の実施例を示す構成図で、たとえば液晶表示パネルＰＮＬと上フレームＵＦとの間に位置づけられるスペーサを示している。
【００５３】
液晶表示パネルＰＮＬと上フレームＵＦとの間に位置づけられるスペーサＳＰ（Ｕ）は、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。
【００５４】
このうち、前記各辺のうち長辺に相当する部分に位置づけられる一対のスペーサＳＰは、それぞれ、その長手方向に３区分された各部分において、その中央の部分（たとえば図中矢印で示す部分）は細く形成され、両側の部分は太く形成されているが、その太細の段差的な変化は見られず、太い部分から徐々に細くなっており、また細い部分から徐々に太くなる様に形成されている。また、前記各辺のうち短辺に相当する部分に位置づけられる一対のスペーサは、そのいずれにあっても、長手方向に太さが不変であって、かつ太く形成されている。
【００５５】
なお、液晶表示パネルＰＮＬとモールドフレームＭＦとの間に位置づけられるスペーサＳＰ（Ｄ）は、図示していないが、図１および図４に示したと同様に、図６に示した液晶表示パネルＰＮＬと上フレームＵＦとの間に位置づけられるスペーサＳＰ（Ｕ）に対してその太細が逆となるような関係で構成されていてもよい。
【００５６】
また、このように構成しなくても、液晶表示パネルＰＮＬとモールドフレームＭＦとの間に位置づけられるスペーサＳＰ（Ｕ）はその太さを不変とさせ（したがって太くても細くてもよい）、液晶表示パネルと上フレームＵＦとの間に位置づけられるスペーサＳＰ（Ｕ）のみで本願発明の効果を奏するようにしてもよいことはもちろんである。さらに、このような関係は、液晶表示パネルＰＮＬと上フレームＵＦとの間に位置づけられるスペーサＳＰ（Ｕ）と液晶表示パネルＰＮＬとモールドフレームＭＦとの間に位置づけられるスペーサとで逆となっていてもよい。
【実施例５】
【００５７】
図７は前記スペーサＳＰの他の実施例を示す構成図で、たとえば液晶表示パネルＰＮＬと上フレームＵＦとの間に位置づけられるスペーサを示している。
【００５８】
液晶表示パネルＰＮＬと上フレームＵＦとの間に位置づけられるスペーサＳＰ（Ｕ）は、液晶表示パネルＰＮＬの外輪郭とその有効表示領域ＡＲの外輪郭との間に配置され、該有効表示領域ＡＲの各辺にそれぞれ沿って直線状に延在された４個のスペーサからなっている。それらはいずれも線幅は不変で比較的太いスペーサで構成されている。
【００５９】
このうち、前記各辺のうち長辺に相当する部分に位置づけられる一対のスペーサＳＰは、それぞれ、その長手方向に３区分された各部分において、その中央の部分（たとえば図中矢印で示す部分）は硬度が高く形成され、両側の部分は硬度が低く形成されているが、その硬度の高低の段差的な変化は見られず、硬度が高い部分から徐々に低くなっており、また低い部分から徐々に高くなる様に形成されている。また、前記各辺のうち短辺に相当する部分に位置づけられる一対のスペーサは、それぞれ、その長手方向に硬度の変化はなく、たとえば比較的硬度が低く形成されたものが選定されている。
【００６０】
なお、液晶表示パネルＰＮＬとモールドフレームＭＦとの間に位置づけられるスペーサは、図示していないが、図１および図４に示したと同様に、図７に示した液晶表示パネルＰＮＬと上フレームＵＦとの間に位置づけられるスペーサＳＰ（Ｕ）に対してその硬度の高低が逆となるような関係で構成されていてもよい。
【００６１】
また、このように構成しなくても、液晶表示パネルＰＮＬとモールドフレームＭＦとの間に位置づけられるスペーサはその硬度を不変とさせ、液晶表示パネルＰＮＬと上フレームＵＦとの間に位置づけられるスペーサのみで本願発明の効果を奏するようにしてもよいことはもちろんである。さらに、このような関係は、液晶表示パネルＰＮＬと上フレームＵＦとの間に位置づけられるスペーサＳＰ（Ｕ）と液晶表示パネルＰＮＬとモールドフレームＭＦとの間に位置づけられるスペーサＳＰ（Ｄ）とで逆となっていてもよい。
【実施例６】
【００６２】
図８（ａ）は前記スペーサＳＰの他の実施例を示す平面図で、たとえば液晶表示パネルＰＮＬと上フレームＵＦとの間に位置づけられるスペーサＳＰ（Ｕ）を示している。
【００６３】
液晶表示パネルＰＮＬと上フレームＵＦおよびモールドフレームＭＦとの間に位置づけられるスペーサは、液晶表示パネルＰＮＬの外輪郭とその有効表示領域ＡＲの外輪郭との間に配置され、該有効表示領域ＡＲの角部において、その角を形成する直交辺にそれぞれ沿って形成されている。
【００６４】
液晶表示パネルＰＮＬの有効表示領域ＡＲの外輪郭を構成する各辺のほぼ中央部にまでは前記スペーサＳＰは延在されておらず、したがってこの部分にはスペーサＳＰが配置されていない構成となっている。前記スペーサＳＰは該有効表示領域の各角部のそれぞれにおいて配置され、このため４個のスペーサが配置されていることになる。これらのスペーサは、いずれも線幅は不変で比較的太いスペーサで構成されている。
【００６５】
すなわち、上述した各実施例にみられたように、各スペーサＳＰのうち比較的細くする部分においては、スペーサＳＰを介在させることなく構成するようにしたものである。この場合において、スペーサＳＰがない部分において、フレームからの力が分散され易いことから、液晶表示パネルＰＮＬへは均等な力が伝達されるようになる。
【００６６】
なお、液晶表示パネルＰＮＬの面であって、有効表示領域ＡＲの外輪郭を構成する各辺に沿ってスペーサＳＰが配置されていない個所（たとえば図中矢印で示す個所）には遮光テープＳＬＴが配置されている。
【００６７】
フレームと液晶表示パネルＰＮＬとの間に介在されるスペーサＳＰは、該液晶表示パネルＰＮＬへの外的障害の抑制の機能を有するとともに、バックライトからの光りを遮光する機能をも有していた背景から、スペーサＳＰを配置させない部分において該遮光テープＳＬＴを配置させたものである。
【００６８】
また、この遮光テープＳＬＴは、図８のA−A線における断面図である図８（ａ）に示すように、上フレームＵＦおよびモールドフレームＭＦ側の面において、それらとの間の隙間を塞ぐようにして構成されている。
【００６９】
フレームと液晶表示パネルＰＮＬとの間に介在されるスペーサＳＰは、外部からのゴミ等の侵入を阻止する機能をもっていることから、スペーサを配置させない部分において該遮光テープＳＬＴをこのように形成したものである。
【００７０】
なお、上述した各実施例において、スペーサＳＰの硬度を低くした部分、あるいは比較的細く形成した部分において、全くスペーサを配置させない部分とし、この実施例のように遮光テープＳＬＴを配置させる構成としてもよいことはいうまでもない。
【００７１】
また、この実施例では、液晶表示パネルＰＮＬと上フレームＵＦとの間において、および液晶表示パネルＰＮＬとモールドフレームＭＦとの間において、一部が断続されたスペーサＳＰを配置させたものであるが、その一方の側にて上述した各実施例で示したような構成のスペーサを採用しても、また、長手方向に沿って硬度、太さの均一なスペーサを採用してもよいことはもちろんである。
【００７２】
上述した各実施例はそれぞれ単独に、あるいは組み合わせて用いても良い。それぞれの実施例での効果を単独であるいは相乗して奏することができるからである。
【図面の簡単な説明】
【００７３】
【図１】本発明による液晶表示装置に用いられるスペーサの一実施例を示す構成図である。
【図２】本発明による液晶表示装置において液晶表示パネルを組み込んでモジュール化したものの構成を示す図である。
【図３】本発明による液晶表示装置に用いられるスペーサ（硬度２０）の圧力に対する幅と変形量との関係を示した特性図である。
【図４】本発明による液晶表示装置に用いられるスペーサの他の実施例を示す構成図である。
【図５】本発明による液晶表示装置に用いられるスペーサの他の実施例を示す構成図である。
【図６】本発明による液晶表示装置に用いられるスペーサの他の実施例を示す構成図である。
【図７】本発明による液晶表示装置に用いられるスペーサの他の実施例を示す構成図である。
【図８】本発明による液晶表示装置に用いられるスペーサの他の実施例を示す構成図である。
【符号の説明】
【００７４】
ＰＮＬ……液晶表示パネル、ＡＲ……有効表示領域、ＳＰ……スペーサ、ＵＦ……上フレーム、ＭＦ……モールドフレーム、ＳＬＴ……遮光テープ。
【図１】
2005091668.tif 000003
【図２】
2005091668.tif 000004
【図３】
2005091668.tif 000005
【図４】
2005091668.tif 000006
【図５】
2005091668.tif 000007
【図６】
2005091668.tif 000008
【図７】
2005091668.tif 000009
【図８】
2005091668.tif 000010